(57)【要約】  【課題】炎天下などで装着して、自転車などのような低速度で走行しても暑さで頭部が蒸れ、極めて不快な状態となることがなく、また、雨天時にも頭部を濡らすことなく使用出来ると共に、障害物などが落下してもその被害を低減できるヘルメットを実現する。  【解決手段】帽体２内面に緩衝材４を有するヘルメット１の頂部の前部及び後部に前記帽体２及び緩衝材４を貫通する複数個の前側及び後側通気孔１３、１４と、該複数個の前側及び後側通気孔１３、１４を同時に開閉するスライド板１８とを備えている。該スライド板１８を移動する平板状の操作部１９により前側及び後側通気孔１３、１４が開閉される。前記緩衝材４の前記帽体２の内側に面する側には、雨天時にヘルメットに注がれる雨水などが顔にかかったりすることを防止するために下方に向かう誘導水路２１が形成されている。  【選択図】図３
2005068582.tif 000002
【特許請求の範囲】
【請求項１】
帽体内面に緩衝材を有するヘルメットの頂部の前部及び後部に設けられ、前記帽体及び緩衝材を貫通する複数個の前側及び後側通気孔と、
該複数個の前側及び後側通気孔を同時に開閉する開閉機構とを備え、
該開閉機構は、前記緩衝材の前記帽体に対向する側に形成された溝部に収納されて前記帽体の内側に当接するように移動して前記複数個の前側及び後側通気孔を同時に開閉するスライド板と、該スライド板を支持するガイド部とからなり、
前記複数個の前側及び後側通気孔は、前記溝部内に形成され、
前記スライド板には、前記帽体の外側から操作して前記スライド板を移動するための操作部が設けられ、
前記緩衝材の前記帽体の内側に面する側には、前記緩衝材に形成された前記溝部の前側及び後側の最下端で、それぞれ連通している前記緩衝材の下端に向かう誘導水路が前記溝部に連通して形成されていることを特徴とするヘルメット。
【請求項２】
前記スライド板は、弾性材により形成され、前記複数個の前側及び後側通気孔に当接する部分を除く箇所でその幅が狭く形成されていると共に、当該幅が狭く形成されている部分には、当該スライド板が移動する方向に直交する方向に歪吸収部が形成されていることを特徴とする請求項１に記載のヘルメット。
【請求項３】
前記スライド板は、前記帽体の複数個の前側通気孔に当接して円弧上を移動すると共に、前記複数個の前側通気孔の上端及び下端は、それぞれ前記円弧の中心点から引いた直線上に位置するように形成され、前記スライド板の移動に伴なう前記複数個の前側通気孔の開口面積比が、それぞれ等しく変化することを特徴とする請求項１または２に記載のヘルメット。
【請求項４】
前記スライド板は、前記帽体に形成された凸部と嵌合する、当該スライド板を前記帽体に係止するバネ機構部が形成されていることを特徴とする請求項１乃至３に記載のヘルメット。
【請求項５】
前記操作部には、前記帽体に形成された貫通孔周辺に設けられた凸部と嵌合する、当該操作部を前記帽体に係止する係止部が形成されていることを特徴とする請求項１に記載のヘルメット。
【請求項６】
前記溝部には、該溝部内の水が流出し易いように、前記緩衝材の前部、後部における下端部が前記帽体の中央部から両側に向い傾斜して形成されていることを特徴とする請求項１に記載のヘルメット。
【請求項７】
前記帽体及び緩衝材を貫通する複数個の前側通気孔は、前記帽体及び緩衝材の前面に横方向に複数個形成され、後側通気孔は、後部上方に縦方向に複数個形成されると共に、前記スライド板を移動した時に当該スライド板が前記帽体から突出しないように形成されていることを特徴とする請求項１に記載のヘルメット。
【請求項８】
前記溝部内に形成された複数個の前側及び／又は後側通気孔の周辺は、凸状の壁部で囲まれて形成されていると共に、前記スライド板の移動方向に沿って前記溝部の底部に向い低くなる傾斜面を有することを特徴とする請求項１に記載のヘルメット。
【請求項９】
前記帽体内に形成された複数個の前側及び／又は後側通気孔の周辺には、前記スライド板の移動方向に前記複数個の前側及び／又は後側通気孔周辺から離れるに従って高さが低くなる傾斜面が形成されていることを特徴とする請求項１に記載のヘルメット。
【請求項１０】
前記緩衝材の前記帽体に対向する側に形成された溝部下端は突起部が形成されると共に、該突起部と前記スライド板の下端との間には、空隙が形成されていることを特徴とする請求項１に記載のヘルメット。
【発明の詳細な説明】
【技術分野】
【０００１】
本発明は、通気孔を備えたヘルメットに関わり、特に、雨天時にも使用できるヘルメットに関するものである。
【背景技術】
【０００２】
従来、この種のヘルメットとして、ヘルメットの前面に通気孔が設けられているヘルメットでは、特許文献１に記載のように、吸気孔が横方向に長いスリット状に形成されており、シャッタが上下方向に摺動するものがあり、このシャッタを上下方向に摺動して外気を取り込む通気用の吸気孔を設けたヘルメットが知られている。そして、ヘルメットの前面に設けた通気用の吸気孔には、シャッタを開閉することにより外部の空気が直接的に吸気孔に流れ込んでくる。
【０００３】
一方、ヘルメットの前面以外に通気孔を設けるものでは、吸気孔を開いただけでは十分に空気が流れ込んでこないため、別個の装置が必要となる。例えば、特許文献２の通気孔には、ヘルメットの帽体外面には空気入口と連通する連通孔を開口した比較的薄い平面略小判形状のベースプレートが接着剤等によって固着されており、そのベースプレートの外周縁下面には誘導ダクトに形成した掛合爪が掛合する段差部が形成され、前記誘導ダクトを前向きにすることにより外気を導入し、前記誘導ダクトを前後方向に摺動して前記連通孔を閉成することにより、外気導入を停止することができる。
【０００４】
【特許文献１】実公平６−１３２１５号公報
【特許文献２】実公平６−４０６号公報
【発明の開示】
【発明が解決しようとする課題】
【０００５】
ヘルメットは、それを装着すると暑さで頭部が蒸れ、極めて不快な状態となるなどの不具合を有している。そこでこの種ヘルメットにおいて、前記特許文献１、２のようにヘルメット内部に空気を取り入れて頭部の蒸れ及び暑さを解消する通気孔を備えるようにしている。しかし、係る通気孔が備えられているヘルメットは、通常、オートバイ等の運転者が頭体保護のために使用するヘルメットに備えられている。一方、オートバイ等は、その速度が速く、外気との相対速度が大きいために、比較的小さな通気孔が形成されていてもヘルメット内部に空気を取り入れることが可能である。しかし、通学児童などのように、自転車に乗っている場合、外気との相対速度が小さいために、前記のような比較的小さな通気孔が形成されているヘルメットでは、ヘルメット内部に充分な空気を取り入れ、頭部の蒸れ及び暑さを解消することが難しい。
【０００６】
このような課題を解決するために、自転車競技用等に使用されるヘルメットには、ヘルメット内部に空気を取り入れるために大きな切り欠き部を設け、この切り欠き部から空気を取りこむものもある。しかし、前記のように大きな切り欠き部を設けることにより、ヘルメットの強度が低下すると共に、雨天時に使用するとヘルメットから水が入り、頭部が濡れる欠点がある。また、強度の低下を補うために前記切り欠き部以外のヘルメットの厚さを増すなどの工夫が必要となり、ヘルメットの重量が増すと共に、外観が頑強な感じになり、児童が使用するのには不似合いな感じになる。また、大きな切り欠き部が固定的に開放されている結果、切り欠き部は、ヘルメットの役を果たさない。即ち、係る切り欠き部に頭上から障害物などが落下した場合、何の保護もされずに、頭部に直接に被害が及ぶ。
【課題を解決するための手段】
【０００７】
本発明は、炎天下などで装着して、自転車などで低速度で走行しても暑さで頭部が蒸れ、極めて不快な状態となることがなく、また、雨天時にも頭部を濡らすことなく使用出来ると共に、障害物などが落下してもその被害を低減できるヘルメットを実現するためになされたものである。
【０００８】
上記目的を達成するために請求項１記載のヘルメットは、帽体内面に緩衝材を有するヘルメットの頂部の前部及び後部に設けられ、前記帽体及び緩衝材を貫通する複数個の前側及び後側通気孔と、該複数個の前側及び後側通気孔を同時に開閉する開閉機構とを備えている。該開閉機構は、前記緩衝材の前記帽体に対向する側に形成された溝部に収納されて前記帽体の内側に当接するように移動して前記複数個の前側及び後側通気孔を同時に開閉するスライド板と、該スライド板を支持するガイド部とから構成されている。前記複数個の前側及び後側通気孔は、前記溝部内に形成され、前記スライド板には、前記帽体の外側から操作して前記スライド板を移動するための操作部が設けられている。前記緩衝材の前記帽体の内側に面する側には、前記緩衝材に形成された前記溝部の前側及び後側の最下端で、それぞれ連通している前記緩衝材の下端に向かう誘導水路が前記溝部に連通して形成されている。
【０００９】
請求項２に記載のヘルメットは、請求項１に記載のヘルメットにおいて、前記スライド板は、弾性材により形成され、前記複数個の前側及び後側通気孔に当接する部分を除く箇所でその幅が狭く形成されていると共に、当該幅が狭く形成されている部分には、当該スライド板が移動する方向に直交する方向に歪吸収部が形成されている。
【００１０】
請求項３に記載のヘルメットは、請求項１または２に記載のヘルメットにおいて、前記スライド板は、前記帽体の複数個の前側通気孔に当接して円弧上を移動すると共に、前記複数個の前側通気孔の上端及び下端は、それぞれ前記円弧の中心点から引いた直線上に位置するように形成され、前記スライド板の移動に伴なう前記複数個の前側通気孔の開口面積比が、それぞれ等しく変化する。
【００１１】
請求項４に記載のヘルメットは、請求項１乃至３に記載のヘルメットにおいて、前記スライド板は、前記帽体に形成された凸部と嵌合する、当該スライド板を前記帽体に係止するバネ機構部が形成されている。
【００１２】
請求項５に記載のヘルメットは、請求項１に記載のヘルメットにおいて、前記操作部には、前記帽体に形成された貫通孔周辺に設けられた凸部と嵌合する、当該操作部を前記帽体に係止する係止部が形成されている。
【００１３】
請求項６に記載のヘルメットは、請求項１に記載のヘルメットにおいて、前記溝部には、該溝部内の水が流出し易いように、前記緩衝材の前部、後部における下端部が前記帽体の中央部から両側に向い傾斜して形成されている。
【００１４】
請求項７に記載のヘルメットは、請求項１に記載のヘルメットにおいて、前記帽体及び緩衝材を貫通する複数個の前側通気孔は、前記帽体及び緩衝材の前面に横方向に複数個形成され、後側通気孔は、後部上方に縦方向に複数個形成されると共に、前記スライド板を移動した時に当該スライド板が前記帽体から突出しないように形成されている。
【００１５】
請求項８に記載のヘルメットは、請求項１に記載のヘルメットにおいて、前記溝部内に形成された複数個の前側及び／又は後側通気孔の周辺は、凸状の壁部で囲まれて形成されていると共に、前記スライド板の移動方向に沿って前記溝部の底部に向い低くなる傾斜面を有する。
【００１６】
請求項９に記載のヘルメットは、請求項１に記載のヘルメットにおいて、前記帽体内に形成された複数個の前側及び／又は後側通気孔の周辺には、前記スライド板の移動方向に前記複数個の前側及び／又は後側通気孔周辺から離れるに従って高さが低くなる傾斜面が形成されている。
【００１７】
請求項１０に記載のヘルメットは、請求項１に記載のヘルメットにおいて、前記緩衝材の前記帽体に対向する側に形成された溝部下端は突起部が形成されると共に、該突起部と前記スライド板の下端との間には、空隙が形成されている。
【発明の効果】
【００１８】
本発明のヘルメットは、複数個設けられた通気孔が、摺動するシャッタで同時に塞がれる結果、雨天時にも使用できると共に、該シャッタによって前記通気孔に障害物などが落下した場合の保護もできる。また、このシャッタは、一度の操作により同時に開閉することが出来るので、自転車などに乗っていても、片手で短時間に操作ができ、自転車の走行の妨げにならない。また、大きな通気孔が複数個設けられていることによりヘルメット内部に充分な空気を取り入れることが可能である。更に、大きな通気孔にしても、摺動するシャッタでその強度が補強され、ヘルメットの外観が頑強な感じにならず、男女が使用するのに似合った形状とすることができる。
【００１９】
また、ヘルメットの側部の前記緩衝材には、前記帽体の内側に面する側に当該ヘルメット内部に流入する水を当該ヘルメットの外部に誘導する下方に向かう誘導水路が形成されていることにより、雨天時に使用してもヘルメットに当たった水滴は、前記誘導水路からヘルメットの側部下方に流出する。そのため、頭部が濡れることなく、また、前記誘導水路が側部または後部に形成されていることにより、水滴の落下により視界を妨げられることもない。更に、後部に水滴が落下しないので、襟元が濡れるのを防止する。前記誘導水路は、前記緩衝材に形成された溝部の前側及び後側の最下端で、それぞれ連通していることにより、溝部に溜まった水は、そこに留まらず、誘導水路を通って外にでるので、ヘルメット内部が濡れることがない。
【００２０】
前記スライド板は、弾性材により形成され、前記複数個の前側及び後側通気孔に当接する部分を除く箇所でその幅が狭く形成されていると共に、当該幅が狭く形成されている部分には、当該スライド板が移動する方向に直交する方向に歪吸収部が形成されていることにより、ヘルメットの形状が、前部と後部とで異なる曲率で変化していても、前記弾性材に形成された歪吸収部によりヘルメットの曲率にしたがって弾性変形し、ヘルメットの内側に当接するように移動される。
【００２１】
前記スライド板は、前記帽体の複数個の前側通気孔に当接して円弧上を移動すると共に、前記複数個の前側通気孔の上端及び下端は、それぞれ前記円弧の中心点から引いた直線上に位置するように形成されると共に、前記スライド板の移動に伴なう前記複数個の前側通気孔の開口面積比が、それぞれ等しく変化することにより、前記帽体の複数個の前側通気孔が同時に開閉され、前頭部への平均的な通気が得られると共に、見栄えもよい。また、前記スライド板は、前記帽体に形成された凸部と嵌合して前記スライド板の反発力により当該スライド板を係止するバネ機構部が形成されていることにより、前記帽体に当該スライド板を係止するための加工を施す必要がなくなる。
【００２２】
前記操作部は、前記帽体に形成された貫通孔周辺に設けられた凸部と嵌合して前記スライド板の反発力により前記操作部を係止する凹部が形成されていることにより、前記スライド板の移動を滑らかにすると共に、前記スライド板が開かれた状態あるいは閉じられた状態の時に、スライド板が固定され、移動することが防止される。
【００２３】
前記溝部は、緩衝材の前部、後部における下端部が前記帽体の中心部から両側に向い下方に傾斜して形成されていることにより、ヘルメット内部に流入した水が、当該溝部から前記誘導水路に確実に導かれる。
【００２４】
前記帽体及び緩衝材を貫通する複数個の前側通気孔は、風圧の高い位置に横方向に複数個形成され、後側通気孔は、後部上方に縦方向に複数個形成されると共に、前記スライド板を移動した時に当該スライド板が前記帽体から突出しないように形成されていることにより、前側通気孔から確実に空気を取り入れ頭部を冷やすと共に、後側通気孔からヘルメット内部に溜まった空気を取り出すことができる。
【００２５】
前記溝部内に形成された複数個の前側及び／又は後側通気孔の周辺は、前記溝部の底部より高く形成されていることによって、ヘルメット内部に流入した水が当該通気孔から頭部に漏れ、頭部が濡れることがない。また、前記スライド板の移動方向に沿って前記溝部の底部に向い低くなる傾斜面を有することによって、前記スライド板を摺動した時に、当該スライド板が前記通気孔周辺に衝突することなく、当該スライド板の摺動が滑らかになる。
【００２６】
前記帽体内に形成された複数個の前側及び／又は後側通気孔は、前記スライド板の移動方向に前記複数個の前側及び／又は後側通気孔周辺から離れるに従って高さが低くなる傾斜面を有することにより、前記スライド板を摺動した時に、当該スライド板が前記通気孔周辺に衝突することなく、当該スライド板の摺動が滑らかになる。
【００２７】
前記緩衝材の前記帽体に対向する側に形成された溝部下端は突起部が形成されると共に、該突起部と前記スライド板の下端との間には、空隙が形成されていることにより、ヘルメット内部に流入した水が前記誘導水路に確実に導かれるので、前記スライド板から前記緩衝材を伝わり前記帽体と前記緩衝材との間を流れることがなくなり、使用時の不快感をなくすことができる。
【発明を実施するための最良の形態】
【００２８】
以下、本発明の実施形態１における構造を図面により説明する。図１乃至図４に示すように、本発明のヘルメット１は、外殻をなす合成樹脂製の帽体２の内面にビーズ発泡ポリ塩化ビニリデン、発泡ポリスチレン、発泡ポリウレタン、その他同様な効果をもたらす衝撃吸収材で形成される緩衝材４を設けている。前記帽体２は、ポリプロピレンやＡＢＳ樹脂などの弾性変形可能な合成樹脂によって一体成型されている。前記帽体２の内面左右両側部には、図示していない顎ベルトが、図示していない一対のリベットにより固定されている。
【００２９】
ヘルメット１は、その前記帽体２の内面に緩衝材４を有するヘルメット１の頂部の前部及び後部に設けられ、帽体２及び緩衝材４を貫通する通気用の複数個の前側及び後側通気孔１３、１４と、該複数個の前側及び後側通気孔１３、１４を同時に開閉する開閉機構とを備えている。該開閉機構は、前記複数個の前側及び後側通気孔１３、１４を同時に開閉するポリプロピレンやＡＢＳ樹脂などの弾性変形可能な合成樹脂製のスライド板１８と、該スライド板１８を支持するガイド部１５（図８参照）とからなる。前記スライド板１８は、緩衝材４の帽体２に対向する側に、後述するように形成された溝部１６に収納されて帽体２の内側に当接するように移動する。
【００３０】
前記帽体２及び緩衝材４を貫通する複数個の前側通気孔１３は、帽体２及び緩衝材４の前面、即ちヘルメットを装着して移動した時に風圧が高くなる位置に左右対象に横方向に並んで複数個（１３１、１３２、１３３、１３４）形成され、後側通気孔１４は、帽体２の後部中央に縦方向に並んで複数個（１４１、１４２）形成されると共に、前記スライド板１８を移動した時に当該スライド板１８が帽体２から突出しないように形成されている。なお、前記複数個の前側及び後側通気孔１３、１４の数は、これ以外であってもよい。前記複数個の前側及び後側通気孔１３、１４は、帽体２及び後述する緩衝材４に形成された溝部１６内に形成されている。
【００３１】
前記緩衝材４の帽体２の内側に面する側には、緩衝材４の下端に向かう誘導水路２１が溝部１６に連通して形成されている。即ち、誘導水路２１は、緩衝材４の左右の前後にそれぞれ形成されていて、それぞれ符号２１１、２１２で示す。誘導水路２１（２１１、２１２）は、前記溝部１６の前側下端部１６０最下端Ｅ及び後側下端部の最下端Ｆで、それぞれ連通していて、水が当該誘導水路２１の中を流れ易いように緩衝材４の端まで傾斜して形成されている。
【００３２】
前記スライド板１８には、前側及び後側通気孔１３、１４の間であって帽体２の左右の略中心に、前記スライド板１８を移動する平板状の操作部１９が、帽体２の上面より高くなるように設けられている。前記操作部１９は、帽体２を貫通して窄設されている貫通孔２０を貫通するようにして、スライド板１８に形成された導入突起１８０にはめ込まれて一体化されている（図５参照。）。帽体２の上面に設けられた操作部１９を外側から操作してスライド板１８をスライドさせる。なお、前記操作部１９は、導入突起１８０と一体に形成してもよい。かかる場合、導入突起１８０は、帽体２を貫通して窄設されている貫通孔２０を貫通して帽体２の上面より高くなる長さに形成されている。
【００３３】
図５に示すように、前記帽体２は、その強度を増加するために、貫通孔２０が形成されている周辺２１を突状にしてもよい。操作部１９は、帽体２の上部から貫通孔２０に挿入され前記スライド板１８に形成された導入突起１８０に嵌合して一体化される。
【００３４】
図６に示すように、前記操作部１９には、帽体２に形成された貫通孔２０周辺に設けられた凸部２０１と嵌合して、前記スライド板１８の反発力により操作部１９を帽体２に係止しスライド板１８を固定する、係止部１９１が形成されている。該係止部１９１は、弾性を有する切り欠き板状で、その先端には前記凸部２０１と嵌合する凹部１９２が形成されている。操作部１９を帽体２の上部から貫通孔２０に挿入し、スライド板１８に形成された前記導入突起１８０に嵌合すると、係止部１９１はその反発力により開いて帽体２から離脱せず、操作部１９は当該帽体２の貫通孔２０内を移動可能となる。
【００３５】
前記操作部１９を貫通孔２０にそって移動して凹部１９２と凸部２０１とが一致すると、スライド板１８の反発力により両者が嵌合され、操作部１９が帽体２に係止され、スライド板１８が帽体２に固定される。また、前記操作部１９を上部から押すことにより、凹部１９２と凸部２０１とが外れて、操作部１９は当該帽体２の貫通孔２０内を移動可能となる。前記凸部２０１は２箇所であってもよく、あるいはそれ以上設けてもよく、かかる場合には、スライド板１８の移動量が細分化され、空気の流入、排気量のコントロールが微妙にできる。
【００３６】
図２に示すように、スライド板１８は、帽体２の複数個の前側通気孔１３に当接して仮想的な中心点Ｐを中心とする円弧上を移動すると共に、複数個の前側通気孔１３の上端１６１及び下端１６０は、それぞれ前記円弧の中心点Ｐから引いた直線Ｐ−Ｐ１、Ｐ−Ｐ２上に位置するように形成され、スライド板１８の円弧上の移動に伴ない複数個の前側通気孔１３の開口面積比が、それぞれ等しく変化するように形成されている。その結果、帽体２の複数個の前側通気孔１３が同時に開閉され、複数個の凸部２０１が形成されている位置でスライド板１８が停止し、前頭部への平均的な通気が得られる。
【００３７】
図７に示すように、前記スライド板１８は、前側及び後側通気孔１３、１４を開閉する形状である。スライド板１８は、弾性材により形成され、帽体２の内側に当接して移動可能なように帽体２の形状にそって湾曲して形成されている。複数個の前側及び後側通気孔１３、１４に当接する、Ｆ部及びＲ部を除く部分Ｋ部は、その幅が前側及び後側通気孔１３、１４に当接する、Ｆ部及びＲ部より狭く形成されていると共に、当該スライド板１８が移動するＹ方向と直交する方向に歪吸収部１８３、１８４が形成されている。該歪吸収部１８３、１８４は、複数個の前側及び後側通気孔１３、１４に当接するＦ部及びＲ部よりも薄く形成されていて、帽体２の形状が円形でなくても係る歪吸収部１８３、１８４で歪が吸収されて帽体２の形状にそって湾曲する。その結果、前記のように、仮想的な中心点Ｐを中心とする円弧上を移動可能となる。
【００３８】
前記スライド板１８は、後側通気孔１４が設けられているＲ部側に後側通気孔１４と略同じ形状の貫通孔１８１、１８２が形成され、また、Ｆ部側には貫通孔は形成されていない。前記貫通孔１８１、１８２は、スライド板１８をＹ２方向にスライドさせた時、破線で示す通気孔１４１、１４２と一致する位置に形成されていて、通気孔１４１、１４２と貫通孔１８１、１８２とが互いに連通可能となっている。この、当該スライド板１８のＦ部側が破線で示す前側通気孔１３１、１３２、１３３、１３４から外れて、前側通気孔１３１、１３２、１３３、１３４が開かれる長さに形成されている。また、Ｒ部側は、スライド板１８をＹ１方向にスライドさせた時、通気孔１４１、１４２と貫通孔１８１、１８２とが互いに閉じられると共に、Ｆ部側が破線で示す前側通気孔１３１、１３２、１３３、１３４を覆い、閉じる長さに形成されている。
【００３９】
図８に示すように、スライド板１８を帽体２と緩衝材４との間に保持する構造は、溝部１６内の帽体２の内側にガイド部１５を形成し、該ガイド部１５によりスライド板１８を帽体２と緩衝材４との間に保持する構造である。帽体２の内側にガイド部１５を形成することにより、ガイド部の強度が増すと共に、スライド板１８の保持が確実になる。また、緩衝材４が古くなったり、損傷して緩衝材４を交換しても帽体２の内側のガイド部１５が緩衝材４と別体で形成されていることによって緩衝材４の交換が容易である。
【００４０】
図１１、図１２により前記溝部１６の構造を説明する。スライド板１８の形状は図７に示した形状とする。なお、溝部１６の構造は、スライド板１８の形状に依存して変化させることはいうまでもない。図１１（ａ）に示すように、緩衝材４の外側に底部１６１と、側壁１６２を有する凹状の溝部１６が形成されている。該溝部１６には、後述するように破線で示すスライド板１８が収納されていて、該溝部１６に収納されたスライド板１８は、図示していない帽体２によってその上側が覆われている。該溝部１６の中を操作部１９によってＹ１方向に移動すると通気孔１４（１４１、１４２）が、図７に示すスライド板１８のＲ部により閉じられると共に、貫通孔１３１、１３２も図７に示すスライド板１８のＦ部により閉じられる。また、スライド板１８をＹ２方向に移動すると通気孔１４１、１４２と貫通孔１８１、１８２とが互いに連通と共に、当該スライド板１８のＦ部が前側通気孔１３１、１３２、１３３、１３４から外れて、前側通気孔１３１、１３２、１３３、１３４が開かれる。
【００４１】
前記溝部１６は、その下端部１６０が緩衝材４の中心部から両側下方に傾斜して形成されている。即ち、下端部１６０の前側通気孔１３３、１３４とが形成されている側においては、符号Ａで示す部分の緩衝材４の下端からの長さが符号Ｂで示す部分の緩衝材４の下端からの長さよりも長く形成されていて、当該溝部１６に流入した水はヘルメットを装着した場合、ヘルメット１の前面の中央部から左側下方に向って流れるような傾斜である。前側通気孔１３１、１３２とが形成されている側においても同様であって、係る側では当該溝部１６に流入した水はヘルメットを装着した場合、ヘルメット１の前面の中央部から右側下方に向って流れるような傾斜である。緩衝材４の両側には、当該緩衝材４の下端Ｕに向かう誘導水路２１（２１１、２１２）が形成され、その端部Ｅが前記溝部１６の前部、後部における下端部１６０と連通して形成されている。
【００４２】
図１１（ｂ）、（ｃ）に示すように、前記溝部１６内には、前側貫通孔１３と後側貫通孔１４とが形成されている。但し、前側貫通孔１３３と１３４のみ図示してある。前記溝部１６内に形成された複数個の前側貫通孔１３と後側貫通孔１４の周辺は、凸状の壁部３０で囲まれて形成されていると共に、前記溝部１６の底部１６１に向って低くなる傾斜面３１を有する。該傾斜面３１の方向は、スライド板１８の移動方向Ｙと平行な方向である。また、該傾斜面３１は、スライド板１８の移動を滑らかにするために、スライド板１８を移動して当該前側貫通孔１３と後側貫通孔１４とが閉じられる側に形成されている。前記凸状の壁部３０の高さは、水が前側貫通孔１３と後側貫通孔１４に流入しない高さであって、スライド板が溝部１６内に収納される高さ以下、例えば略１．５ｍｍである。傾斜面３１によりスライド板１８が移動される時に前記前側貫通孔１３と後側貫通孔１４に衝突せず、滑らかな移動が可能になる。
【００４３】
図１２により、前記溝部１６とスライド板１８の大きさについて説明する。図１２は、理解を容易にするために、溝部１６及び、スライド板１６を平面状に描いてあるが、実際には図１１で示したように、緩衝材４の形状にしたがって湾曲している。溝部１６は、緩衝材４の前部、後部における下端部１６０が前記帽体の中心部から両側に向い下方に傾斜して形成されている。そして、その先端は、誘導水路２１１、２１２と連通している。溝部１６は、側壁１６２で囲まれ、その中にスライド板１８が収納されている。該スライド板１８のＦ部、Ｒ部の両側は、図示していない帽体２に形成されたガイド部１５によって移動可能に保持されている。前記ガイド部１５はスライド板１８の両端にそって平行に形成され、スライド板１８が前述した１点鎖線で示す位置まで移動可能なように形成されている。
【００４４】
図１２では、スライド板１８が実線で示す位置にある時には、前側及び後側通気孔１３、１４は閉じられ、１点鎖線で示す位置にある時には、前側及び後側通気孔１３、１４は開かれている。即ち、緩衝材４の前部、後部における両下端部１６０間は、前記スライド板１８が実線で示す位置から１点鎖線で示す位置に移動可能な距離が確保されている。なお、スライド板１８は、緩衝材４の前部、後部における両下端部１６０で停止するようにしてもよく、あるいは、図１、３で示した、帽体２を貫通して窄設されている貫通孔２０の両端、あるいは、図６に示した貫通孔２０周辺に設けられた凸部２０１により停止するようにしてもよい。かかる場合、前記溝部１６の前側及び後側の最下端１６０とスライド板１８の先端との間は、図１３に示すように、水が流れ込み易いように、隙間Ｇが形成されている。
【００４５】
図１３に示すように、前記誘導水路２１１、２１２の連通部Ｅは、前記緩衝材４に形成された前記溝部１６の前側及び後側の側壁１６２の最下端で、切り欠き部が形成され、それぞれ前記緩衝材４の下端に向かう誘導水路２１１、２１２と連通している。スライド板１８が前記通気孔１３、１４を塞いだ時、スライド板１８上面を流れる水Ｗは、前記溝部１６の前側及び後側の最下端１６０から前記切り欠き部を通り、誘導水路２１１、２１２に流れ込む。前記溝部１６の前側及び後側の最下端１６０は、前述したように傾斜して形成されていると共に、誘導水路１６も緩衝材４の下端に向かっているため、帽体２からスライド板１８に入った水Ｗは、頭部を濡らすことなく外部に流れ出す。
【００４６】
本発明の実施形態２を以下、説明する。基本的な構成は、実施形態１と同一である。図１４に示す前記誘導水路２１１、２１２の連通部Ｅの形状は、スライド板１８上面を流れる水Ｗが、前記溝部１６の前側及び後側の最下端１６０から前記切り欠き部を通り、誘導水路２１１、２１２に流れ込みやすい形状にしたものである。即ち、前記溝部１６の前側及び後側の最下端１６０の上端に鍔部１６４を形成し、帽体２と緩衝材４との間に水Ｗが入らない構造とした。かかる場合も、鍔部１６４とスライド板１８の先端との間は、図１４に示すように、水が流れ込み易いように、隙間Ｇが形成されている。
【００４７】
本発明の実施形態３を以下、説明する。基本的な構成は、実施形態１と同一である。図１５に示すスライド板１８の実施形態３は、前述した貫通孔１９１、１９２、１９３、１９４が形成されていない実施形態である。このようにすると、スライド板１８に穴あけ加工を施さないため、スライド板１８を成形するための金型を安価に出来る利点がある。図１５に示す実施形態は、図７に示したスライド板１８の第１の実施形態のように、複数個の前側及び後側通気孔１３、１４に当接する部分Ｆ部及びＲ部を除く部分Ｋは、その幅が前側及び後側通気孔１３、１４に当接する部分Ｆ部及びＲ部より狭く形成されていると共に、当該スライド板１８が移動する方向Ｙに直交する方向に歪吸収部１８３、１８４が形成されている。また、該歪吸収部１８３、１８４は、複数個の前側及び後側通気孔１３、１４に当接する部分Ｆ部及びＲ部よりも薄く形成されていて、帽体２の形状が円形でなくても係る歪吸収部１８３、１８４で歪が吸収されて帽体２の形状にそって湾曲する。その結果、前記のように、仮想的な中心点Ｐを中心とする円弧上を移動可能となる。
【００４８】
図１５に示した形状のスライド板１８に当接して開閉される複数個の前側及び後側通気孔１３、１４は、図７の場合とは異なり、図１５破線で示すように、Ｆ部の先端及びＫ部横にそれぞれ形成されている。即ち、前側通気孔１３は、前記帽体２及び緩衝材４前面に横方向に複数個（１３１、１３２、１３３、１３４）形成され、後側通気孔１４は、帽体２の後部上方に、横方向に複数個（１４１、１４２、１４３、１４４）形成されると共に、前記スライド板１８を移動した時に当該スライド板１８が前記帽体２から突出しないように形成されている。スライド板１８をＹ方向に移動することにより、前記複数個の前側及び後側通気孔１３、１４がＦ部及びＲ部によって同時に開閉される。なお、前記複数個の前側及び後側通気孔１３、１４の数は、これ以外であってもよい。その他、溝部１６の形状は、図１２で述べたと同様、スライド板１８が移動可能な形状であると共に、誘導水路２１も同様に形成されている。
【００４９】
本発明の実施形態４を以下、説明する。基本的な構成は、実施形態１と同一である。図１６に示す示すスライド板１８の実施形態４は、前記図１５で示した複数個の後側通気孔１４を縦横方向にそれぞれ形成したものである。即ち、後側通気孔１４は、前記帽体２及び緩衝材４の後部上方に縦横方向にそれぞれ２個（１４１、１４２、１４３、１４４）形成されている以外は、図１５と同様である。なお、前記複数個の前側及び後側通気孔１３、１４の数は、これ以外であってもよい。また、前側通気孔１３の形状も後側通気孔１４と同様であってもよく、あるいは、前側通気孔１３と後側通気孔１４との形状を図１６と逆にしてもよい。その他、溝部１６の形状は、図１２で述べたと同様、スライド板１８が移動可能な形状であると共に、誘導水路２１も同様に形成されている。
【００５０】
本発明の実施形態５を以下、説明する。基本的な構成は、実施形態１と同一である。図１７に示す示すスライド板１８の実施形態５は、図７に示したスライド板１８の貫通孔１８１、１８２を前側通気孔１３の設けられているＦ部側に前側通気孔１３と略同じ形状の貫通孔１９１、１９２、１９３、１９４で形成したものである。スライド板１８のＲ部側には貫通孔は形成されていない。なお、前記複数個の前側通気孔１３と貫通孔１９１、１９２、１９３、１９４との数は、一致していれば、これ以外であってもよい。前記貫通孔１９１、１９２、１９３、１９４は、前記スライド板１８をＹ１方向に移動させた時に、前記通気孔１３１、１３２、１３３、１３４と一致して連通される。この時、スライド板１８のＲ部側は、後側通気孔１４（１４１、１４２）から外れ、後側通気孔１４が開かれる。また、前記スライド板１８をＹ２方向に移動させた時に、前記通気孔１３１、１３２、１３３、１３４はスライド板１８のＦ部側で閉じられると共に、後側通気孔１４（１４１、１４２）は、Ｒ部側で閉じられる。その他、溝部１６の形状は、図１２で述べたと同様、スライド板１８が移動可能な形状であると共に、誘導水路２１も同様に形成されている。
なお、上述した実施形態１乃至５において、スライド板１８に形成される貫通孔の形状、数は、前記以外であってもよく、また、形成される場所は、前側通気孔１３及び後側通気孔１４と一致して該通気孔を開閉できる構造であれば、Ｆ部側、Ｒ部側の何れか一方、或は両方であってもよい。
【００５１】
本発明の実施形態６を以下、説明する。基本的な構成は、実施形態１と同一である。図１８に示すスライド板１８は、帽体２の内側に形成された凸部７０と嵌合して、スライド板１８を帽体２に係止する、バネ機構部としてバネ部４０が形成されている。該バネ部４０は、スライド板１８のＦ部側の内側両端に形成されていて、その略中央部Ｑを支点として前記凸部７０が嵌入されると左右に広がる構造である。バネ部４０の両先端には、前記凸部７０と嵌合する凹部４０１、４０２がそれぞれ形成されている。また、バネ部４０の両先端間は、前記凸部７０に沿ってスライド板１８を移動しやすいよう弓状に形成されている。スライド板１８をＹ１方向に移動した時に、前記凹部４０１と凸部７０とが嵌合し、Ｙ２方向に移動した時に、前記凹部４０２と凸部７０とが嵌合して、スライド板１８が帽体２に固定される。かかるスライド板１８は、帽体２を貫通して窄設されている図示していない貫通孔２０を貫通するようにしてスライド板１８に形成された導入突起１８０により一体化されている図示していない操作部１９により移動される。
【００５２】
本発明の実施形態７を以下、説明する。基本的な構成は、実施形態１と同一である。図１９に示す、溝部１６内に形成される複数個の前側貫通孔１３と後側貫通孔１４の周辺は、図１１に示したような凸状の壁部ではなく、前側貫通孔１３と後側貫通孔１４周辺から離れるに従って高さが低くなる傾斜面３２が形成されている。但し、前側貫通孔１３３と１３４のみ図示してある。前記傾斜面の高さと傾斜は、水が前側通気孔１３及び後側通気孔１４に流入しない高さと傾斜であって、スライド板が溝部１６内に収納されるの高さ以下、例えば略１．５ｍｍである。また傾斜は、前側通気孔１３及び後側通気孔１４の傾斜が溝部１６の底部１６１に到達する傾斜である。前側通気孔１３周辺から離れるに従って高さが低くなる傾斜面３２が形成されていることにより、図１１に示した第１の実施形態のような壁部３０と傾斜面３１とを分離して形成する必要がなく、金型の製作が容易になると共に、コストも低減できる。
【００５３】
本発明の実施形態８を以下、説明する。基本的な構成は、実施形態１と同一である。図２０に示す帽体２に形成された後側通気孔１４（１４１、１４２）は、当該後側通気孔１４（１４１、１４２）を大きくした時に、帽体２の強度低下を補う、支持体５０を帽体２の内側に設けたものである。図２０（ａ）に示すように、後側通気孔１４（１４１、１４２）は、横長の形状であり、支持体５０は、当該帽体２と同一材料により帽体２と一体成形されて、当該後側通気孔１４（１４１、１４２）と直交する方向に２個形成されている。なお、該支持体５０の数はこれ以外であってもよく、後側通気孔１４（１４１、１４２）の形状、帽体の強度により適宜決定する。図２０（ｂ）に示すように、支持体５０の少なくとも上部５１は、傾斜して形成されている。かかる傾斜面は、スライド板１８が当該帽体２の内側を移動する時に、支持体５０に衝突しないでその移動を滑らかにする。
【００５４】
本発明の実施形態９を以下、説明する。基本的な構成は、実施形態１と同一である。図９に示すように、スライド板１８を帽体２と緩衝材４との間に保持する構造は、帽体２の内側にガイド部１５０を形成し、該ガイド部１５０によりスライド板１８の両端を支え、緩衝材４の底部１５１と前記ガイド部１５０とで、スライド板１８を帽体２と緩衝材４との間に保持する構造である。かかる帽体２の内側に形成されたガイド部１５０は、溝部１６内に形成されている。帽体２の内側にガイド部１５を形成することにより、スライド板１８の保持が確実になる。なお、前記帽体２の内側に設けたガイド部１５０の代わりに、例えば複数個のピンを帽体２の内側にもうけてもよい。かかる場合には、スライド板１８を移動する時に、該スライド板１８が滑らかに移動できるように、当該複数個のピンは、前記ガイド部１５０が立設されている位置に立設する。
【００５５】
本発明の実施形態１０を以下、説明する。基本的な構成は、実施形態１と同一である。図１０に示すように、スライド板１８を帽体２と緩衝材４との間に保持する構造は、緩衝材４の帽体２に対向する側に形成された溝部１６の側壁１６２をスライド板１８の幅と略等しく形成する構造である。スライド板１８は、緩衝材４に形成されたガイド部１５により帽体２と緩衝材４との間に保持され、溝部１６に収納されて帽体２の内側に当接するように移動する。
【００５６】
本発明の実施形態１１を以下、図２１により説明する。基本的な構成は、実施形態１と同一である。図２１に示すように、スライド板１８は、帽体２の内側に形成された凸部７０と嵌合して、スライド板１８を帽体２に係止する、バネ機構部であるバネ部４０が、Ｆ部及びＲ部との間のＫ部に形成されている。該バネ部４０は、スライド板１８を貫通して窄設されている貫通孔４０２と、貫通孔４０４および４０５との間に、それぞれ形成されている。前記貫通孔４０２、貫通孔４０４および４０５は、スライド板１８の移動方向Ｙ１、Ｙ２に長手となるように形成されている。貫通孔４０２の両端は、帽体２の内側に形成された凸部７０と嵌合する凹部４０１、４０６が、貫通孔４０２に形成されている凸部４０３と４０４とにより、それぞれ形成されている。前記凸部４０３と４０４は、前記凹部４０１、４０６と凸部７０とが嵌合した時に、緩みのない大きさに形成されている。スライド板１８がＹ１、Ｙ２方向に移動され、前記凸部７０により前記凸部４０３と４０４とが、それぞれ貫通孔４０４、４０５側に押されると、前記貫通孔４０４、４０５方向に広がり、前記バネ部４０の歪を吸収する構造である。スライド板１８をＹ１方向に移動した時に、前記凹部４０１と凸部７０とが嵌合し、Ｙ２方向に移動した時に、前記凹部４０６と凸部７０とが嵌合して、スライド板１８が帽体２に固定される。かかるスライド板１８は、前記導入突起１８０により一体化されている図５、図６に示したような操作部１９によりＹ１、Ｙ２方向に移動される。
【図面の簡単な説明】
【００５７】
【図１】本発明の実施形態１におけるヘルメット本体の上面図である。
【図２】本発明の実施形態１におけるヘルメット本体の右側面図である。
【図３】本発明の実施形態１におけるヘルメット本体の図１のＡ−Ａ部右側断面図である。
【図４】本発明の実施形態１におけるヘルメット本体の図１のＡ−Ａ部右側断面図の緩衝材４を省略した図操作部１９の説明図である。
【図５】本発明の実施形態１におけるヘルメット本体の図１のＪ−Ｊ部断面図の緩衝材４を省略した図操作部１９の説明図である。
【図６】本発明の実施形態１における操作部１９の分解説明図（ａ）と、操作部１９の下方からみた斜視図（ｂ）である。
【図７】本発明の実施形態１におけるスライド板の上面図（ａ）、側面図（ｂ）、正面図（ｃ）である。
【図８】本発明の実施形態１における前側通気孔周辺におけるガイド部の断面図である。
【図９】本発明の実施形態９における前側通気孔周辺におけるガイド部の断面図である。
【図１０】本発明の実施形態１０における前側通気孔周辺におけるガイド部の断面図である。
【図１１】本発明の実施形態１における溝部を説明する緩衝材の外観斜視図（ａ）と、誘導水路周辺の一部拡大図（ｂ）及び前側通気孔のＣ−Ｃ部断面図（ｃ）である。
【図１２】本発明の実施形態１における溝部を説明するため緩衝材を平面的に表した上面図（ａ）とＤ−Ｄ部断面図（ｂ）である。
【図１３】本発明の実施形態１における誘導水路の連通部を説明する誘導水路Ｅ部断面図である。
【図１４】本発明の実施形態２において誘導水路の連通部を説明する誘導水路Ｅ部断面図である。
【図１５】本発明の実施形態３におけるスライド板と後側貫通孔を説明するための上面図である。
【図１６】本発明の実施形態４においてスライド板と後側貫通孔を説明するための上面図である。
【図１７】本発明の実施形態５におけるスライド板を示す上面図（ａ）と、側面図（ｂ）である。
【図１８】本発明の実施形態６におけるスライド板を説明する斜視図である。
【図１９】本発明の実施形態７における前側通気孔周辺を説明する図（ａ）と前側通気孔のＣ−Ｃ部断面図（ｂ）である。
【図２０】本発明の実施形態８における帽体に形成される後側通気孔を説明する後面図（ａ）と、Ａ−Ａ部断面図（ｂ）である。
【図２１】本発明の実施形態１１におけるスライド板を説明する斜視図である。
【符号の説明】
【００５８】
１……ヘルメット、２……帽体、４……緩衝材、１８……スライド板、１３（１３１、１３２、１３３、１３４）……前側通気孔、１４（１４１、１４２）……後側通気孔、１９……操作部、１５……ガイド部、１６……溝部、２０……貫通孔、２１……誘導水路
【図１】
2005068582.tif 000003
【図２】
2005068582.tif 000004
【図３】
2005068582.tif 000005
【図４】
2005068582.tif 000006
【図５】
2005068582.tif 000007
【図６】
2005068582.tif 000008
【図７】
2005068582.tif 000009
【図８】
2005068582.tif 000010
【図９】
2005068582.tif 000011
【図１０】
2005068582.tif 000012
【図１１】
2005068582.tif 000013
【図１２】
2005068582.tif 000014
【図１３】
2005068582.tif 000015
【図１４】
2005068582.tif 000016
【図１５】
2005068582.tif 000017
【図１６】
2005068582.tif 000018
【図１７】
2005068582.tif 000019
【図１８】
2005068582.tif 000020
【図１９】
2005068582.tif 000021
【図２０】
2005068582.tif 000022
【図２１】
2005068582.tif 000023